(57)【特許請求の範囲】
【請求項１】
多数の平行で等間隔な折曲部において交互に逆方向に折曲することによりアコーディオン式に伸縮自在としたネットを、枠体内において横引き式に開閉自在とし、上記ネットの一端を上記枠体の縦枠部材に固定すると共に、該ネットの他端を上記枠体に沿って摺動する開閉操作用の操作框に取り付けた横引き式網戸において、
一端を上記操作框に固定したワイヤを上記ネット中に水平に挿通したうえで、上記縦枠部材に設けたガイド部材を介して該縦枠部材中に垂下させ、該縦枠部材中においてそのワイヤの先端に重りを吊下し、
上記ネットが張設状態にあるときの上記重りとその上昇限となる当接部とに接するようにそれらの間にばね部材を介装した、
ことを特徴とする横引き式網戸。
【請求項２】
多数の平行で等間隔な折曲部において交互に逆方向に折曲することによりアコーディオン式に伸縮自在としたネットを、枠体内において横引き式に開閉自在とし、上記ネットの一端を上記枠体の縦枠部材に固定すると共に、該ネットの他端を上記枠体に沿って摺動する開閉操作用の操作框に取り付けた横引き式網戸において、
一端を上記縦枠部材に固定したワイヤを、上記ネット中に水平に挿通したうえで、上記操作框に設けたガイド部材を介して該操作框中に垂下させ、該操作框中においてそのワイヤの先端に重りを吊下し、
上記ネットが張設状態にあるときの上記重りとその上昇限となる当接部とに接するようにそれらの間にばね部材を介装した、
ことを特徴とする横引き式網戸。
【請求項３】
一端を操作框または縦枠部材に固定したワイヤの複数をネットに多段に挿通し、それらのワイヤの他端を縦枠部材または操作框に設けたガイド部材を介して、該縦枠部材または操作框中にその上部から一纏めにして垂下させた、
ことを特徴とする請求項１または２に記載の横引き式網戸。
【請求項４】
重りとその上昇限となる当接部との間のばね部材を、ネットが張設状態にあるときに若干圧縮された状態として介装した、
ことを特徴とする請求項１ないし３のいずれかに記載の横引き式網戸。
【発明の詳細な説明】
【０００１】
【発明の属する技術分野】
本発明は、建物開口部に防虫のために取り付けられ、アコーディオン式に伸縮自在のネットを横引きにより開閉自在とした網戸に関するものである。
【０００２】
【従来の技術】
従来から、図３に示すような網戸、即ち、多数の平行で等間隔な折曲部において交互に逆方向に折曲することによりアコーディオン式に伸縮自在としたネット３２を、枠体３１内において横引き式に開閉自在とした横引き式網戸は、極めて一般的に知られている。この横引き式網戸においては、上記ネット３２の一端を上記枠体３１の一方の縦枠部材３１ａに固定すると共に、該ネット３２の他端を上記枠体３１の上下の横枠部材３１ｃ，３１ｄに沿って摺動する開閉操作用の操作框３３に取り付け、また、ネット３２の上下端を横枠部材３１ｃ，３１ｄに嵌入した状態でガイドさせ、それによって該ネット３２を開閉自在にしている。
【０００３】
上記横引き式網戸において、図３に例示しているように、操作框３３に一端を固定したワイヤ３４ａ〜３４ｄを上記ネット３２中に水平に挿通したうえで、上記縦枠部材３１ａに設けたガイド部材３５を介して該縦枠部材中に垂下させ、該縦枠部材３１ａ中においてそれらのワイヤの先端に重り３６を吊下しておくと、ネット３２が張設状態にあるときに操作框３３が当接している縦枠部材３１ｂと該操作框３３との間に設けた掛け金具３７を外したとき、該張設状態にあるネット３２を上記重り３６の作用により自動的に折り畳み、建物開口部を自動開放することができる。
【０００４】
しかるに、通常、上記ネット３２が張設状態にあるときの上記重り３６とその上昇限となる当接部３８との間にある程度の間隔ｄが生じるようにワイヤ長を設定し、建物開口部への枠体３１の取付けの際の縦横枠部材３１ａ〜３１ｄの寸法調整等を行う際に支障を来さないようにしているので、張設したネット３２にある程度強い風などの外力が作用したときには、図４に示すように、ネット３２が風下側に膨らんで、その上下端が横枠部材３１ｃ，３１ｄから脱出し、その部分において防虫の目的を達成できなくなるばかりでなく、その都度ネットの上下端を横枠部材３１ｃ，３１ｄ内に復帰させる作業が必要となる。
【０００５】
即ち、上記ネット３２は、重り３６によりワイヤに作用する張力でその姿勢を所定の張設状態に保持し、比較的弱い風では風下側になびかないようにしているが、それにある程度強い外力が作用したときには、重り３６を図４に示すような当接部３８への当接位置まで引き上げながら風下側に膨らむので、それに伴って伸縮自在のネット３２の上下端が横枠部材３１ｃ，３１ｄから外れ、上記不都合が生じることになる。
【０００６】
また、この不都合を避けるために重り３６をより重くすると、風等によるネットの膨らみを一層抑制できるが、ネット３２の張設操作のための操作框３３の操作力が大きくなり、しかも、張設したネット３２を該重り３６の作用で自動開放するとき、操作框３３が開放側の縦枠部材に強く衝突し、大きな衝撃音を発すると共に、衝撃によって一部が破損する可能性も生じることになる。
【０００７】
【課題を解決するための手段】
上記課題を解決するための本発明の横引き式網戸は、多数の平行で等間隔な折曲部において交互に逆方向に折曲することによりアコーディオン式に伸縮自在としたネットを、枠体内において横引き式に開閉自在とし、上記ネットの一端を上記枠体の縦枠部材に固定すると共に、該ネットの他端を上記枠体に沿って摺動する開閉操作用の操作框に取り付けた横引き式網戸において、一端を上記操作框に固定したワイヤを上記ネット中に水平に挿通したうえで、上記縦枠部材に設けたガイド部材を介して該縦枠部材中に垂下させ、該縦枠部材中においてそのワイヤの先端に重りを吊下し、あるいは、一端を上記縦枠部材に固定したワイヤを、上記ネット中に水平に挿通したうえで、上記操作框に設けたガイド部材を介して該操作框中に垂下させ、該操作框中においてそのワイヤの先端に重りを吊下し、上記ネットが張設状態にあるときの上記重りとその上昇限となる当接部とに接するようにそれらの間にばね部材を介装したことを特徴とするものである。
【０００８】
【課題を解決するための手段】
上記課題を解決するための本発明の横引き式網戸は、多数の平行で等間隔な折曲部において交互に逆方向に折曲することによりアコーディオン式に伸縮自在としたネットを、枠体内において横引き式に開閉自在とし、上記ネットの一端を上記枠体の縦枠部材に固定すると共に、該ネットの他端を上記枠体に沿って摺動する開閉操作用の操作框に取り付けた横引き式網戸において、一端を上記操作框に固定したワイヤを上記ネット中に水平に挿通したうえで、上記縦枠部材に設けたガイド部材を介して該縦枠部材中に垂下させ、該縦枠部材中においてそのワイヤの先端に重りを吊下し、あるいは、一端を上記縦枠部材に固定したワイヤを、上記ネット中に水平に挿通したうえで、上記操作框に設けたガイド部材を介して該操作框中に垂下させ、該操作框中においてそのワイヤの先端に重りを吊下し、上記ネットが張設状態にあるときの上記重りとその上昇限となる当接部との間にばね部材を介装したことを特徴とするものである。
【０００９】
上記横引き式網戸においては、一端を操作框または縦枠部材に固定したワイヤの複数をネットに多段に挿通し、それらのワイヤの他端を縦枠部材または操作框に設けたガイド部材を介して、該縦枠部材または操作框中にその上部から一纏めにして垂下させ、これによって操作框を平行移動させることができる。
また、上記重りとその上昇限となる当接部との間のばね部材を、ネットが張設状態にあるときに若干圧縮された状態として介装することができる。
【００１０】
上記構成を有する横引き式網戸は、建物開口部に設置し、そこにネットが張設された状態において、該ネットにある程度強い風などの外力が作用して、ワイヤに重りを持ち上げる方向の力が作用しても、該重りが持ち上げられるときに、該重りと当接部との間に介装したばね部材の力がワイヤに作用するので、上記外力によってワイヤに撓みが生じるのを抑制することができ、その結果、ネットの膨れを抑制することができる。
【００１１】
一方、張設状態にあるネットを開放する場合には、操作框の拘束を解除することにより、ワイヤを介して操作框に作用する重りの作用力で自動的にネットが折り畳まれ、開放される。この場合、上記ばね部材の力は、初期段階を除いて操作框の開放動作には関与しないので、操作框に作用する重りの力にばね部材の力が常に加重されたりすることはなく、該ばね部材の存在により操作框がネットの開放時に側枠に強く衝突するようなことはない。
また、上記重りと当接部との間のばね部材を、ネットが張設状態にあるときに若干圧縮された状態として介装すると、ネットの張設時におけるワイヤの張力を高めると同時に、操作框を操作してネットを張設操作する終端での縦枠部材に対する操作框の衝突力が該ばね部材により緩和される。
【００１２】
【発明の実施の形態】
図１は本発明に係る横引き式網戸の第１実施例を示している。
この第１実施例の横引き式網戸は、多数の平行で等間隔な折曲部１２ａにおいて交互に逆方向に折曲することによりアコーディオン式に伸縮自在とした防虫用のネット１２を、建物開口部に固定される枠体１１内において横引き式に開閉自在としたものである。上記枠体１１は、アルミニウムあるいは合成樹脂からなる一対の縦枠部材１１ａ，１１ｂ、及び上下の横枠部材１１ｃ，１１ｄを四隅において相互に連結することにより構成されたものである。
【００１３】
上記ネット１２は、その一端を上記枠体１１の一方の縦枠部材１１ａに固定すると共に、該ネット１２の他端を上記枠体１１の上下の横枠部材１１ｃ，１１ｄに沿って摺動する開閉操作用の操作框１３に取り付けている。該操作框１３は、その上端部に取り付けられた転輪１３ａを上部の横枠部材１１ｃ内に設けたレール上において走行させるようにしている。また、該ネット１２の上下端は上記横枠部材１１ｃ，１１ｄに設けた溝によってガイドさせている。
【００１４】
上記横引き式網戸においては、ネット１２中の上下部及びそれらの中間部の各水平方向に略等間隔でワイヤ１４ａ〜１４ｄを多段に挿通し、該ワイヤ１４ａ〜１４ｄの各一端を上記操作框１３に固定すると共に、それらのワイヤ１４ａ〜１４ｄの他端を、ネット１２中に挿通したうえで縦枠部材１１ａ内に挿通し、最上位のワイヤ１４ａを除く他のワイヤ１４ｂ〜１４ｄを、図示を省略している転向子を介して縦枠部材１１ａ内を上方に導き、それらを最上位のワイヤ１４ａと共に縦枠部材１１ａの上部に設けたガイド部材１５を介して、縦枠部材１１ａ中に垂下させ、該縦枠部材１１ａ中において、それらのワイヤ１４ａ〜１４ｄの先端に重り１６を吊下している。
【００１５】
縦枠部材１１ａ中に垂下させる上記ワイヤ１４ａ〜１４ｄは、それらを個別的に垂下させて先端に重り１６を取り付けることもできるが、それらを一纏めにして垂下させることもできる。このように、ワイヤ１４ａ〜１４ｄの複数をネット１２に多段に挿通し、縦枠部材内においてそれらのワイヤに重り１６を吊下すると、各ワイヤに略均等に作用する張力によって操作框１３を平行移動させることができる。また、風圧等の作用によりネット１２が風下側に膨らんだりするのが抑制される。
なお、縦枠部材１１ｂと操作框１３との間には、上記重り１６によるワイヤの張力に抗して操作框１３をネットの張設位置に保持する掛け金具１７を設けている。
【００１６】
また、上記網戸においては、ネット１２が図１に示すような張設状態にあるときに、上記重り１６とその上昇限となる当接部１８とに接するようにそれらの間にばね部材１９を介装している。上記重りと当接部との間に介装するばね部材１９は、ネット１２が張設状態にあるときにそれに圧縮力が作用しない状態で介装することもできるが、若干圧縮された状態として介装することもできる。また、上記ばね部材１９としては、ワイヤの周囲に外嵌するコイルばねを用いるのが望ましいが、スポンジ状その他の弾性体を用いることもできる。
【００１７】
上記構成を有する横引き式網戸は、建物開口部に設置し、そこにネット１２が張設された状態において、該ネット１２にある程度強い風などの外力が作用し、ワイヤ１４ａ〜１４ｄに重り１６を持ち上げる方向の力が作用しても、該重りが持ち上げられるときに、該重り１６と当接部１８との間に介装したばね部材１９の力がワイヤ１４ａ〜１４ｄに作用するので、上記外力によってワイヤに撓みが生じるのを抑制することができ、その結果、ネットの膨れを抑制することができる。
【００１８】
一方、張設状態にあるネット１２を開放する場合には、掛け金具１７による操作框１３の拘束を解除することにより、ワイヤ１４ａ〜１４ｄを介して操作框１３に作用する重り１６の作用力で自動的にネット１２が折り畳まれ、建物開口部が自動開放される。
【００１９】
この場合に、上記ばね部材１９を、ネット１２が張設状態にあるときにそれに圧縮力が作用しない状態で介装していれば、該ばね部材の力が操作框１３の開放動作には関与しないので、操作框１３はそれに作用する重り１６の力により開放動作し、操作框１３の動作にばね部材１９の力が影響するようなことはない。
また、ばね部材１９を、ネット１２が張設状態にあるときに若干圧縮された状態として介装すると、上記ばね部材１９の力が、ネット開放の初期段階において操作框１３の開放動作に若干関与するが、常に操作框１３に作用する重り１６の力にばね部材１９の力が加重されたりすることはなく、ネット１２の張設時におけるワイヤ１４ａ〜１４ｄの張力を若干でも高めると同時に、操作框１３を操作してネット１１を張設操作する終端での縦枠部材１１ｂに対する操作框１３の衝突力が該ばね部材１９により緩和される。
【００２０】
図２は、本発明に係る横引き式網戸の第２実施例を示すもので、縦枠部材２１ａ，２１ｂ、及び上下の横枠部材２１ｃ，２１ｄからなる枠体２１内において、ネット２２を横引き式に開閉自在としているが、上記第１実施例と比べて、複数のワイヤ２４ａ〜２４ｄの一端を縦枠部材２１ａに取り付け、該ワイヤ２４ａ〜２４ｄをネット２２中に水平に挿通したうえで、操作框２３に設けたガイド部材２５を介して該操作框２３中に垂下させ、該操作框２３中においてそのワイヤの先端に重り２６を吊下した点で相違している。
【００２１】
また、第１実施例との上記構成の相違に伴い、ネット２２中に多段に挿通した各ワイヤ２４ａ〜２４ｄを操作框２３内に挿通し、最上位のワイヤ２４ａを除く他のワイヤ２４ｂ〜２４ｄを、図示を省略している転向子を介して操作框２３内を上方に導き、それらを最上位のワイヤ２４ａと共に操作框２３の上部に設けたガイド部材２５を介して操作框２３中に垂下させ、該操作框２３中において、それらのワイヤ２４ａ〜２４ｄの先端に重り２６を吊下し、ネット２２が張設状態にあるときの上記重り２６とその上昇限となる当接部２８との間にばね部材２９を介装している。
【００２２】
この第２実施例の横引き式網戸においては、上述したように、重り２６により操作框２３には開方向の作用力が付与される同時に、ワイヤ２４ａ〜２４ｄに張力が付与され、該張力によりネット２２の姿勢が安定化され、風圧等の作用による該ネット２２の膨らみ等が防止される点では、前記第１実施例と変わるところがないが、掛け金具２７による操作框２３の拘束を解除し、ワイヤ２４ａ〜２４ｄに作用する張力によって操作框２３を開方向に移動させて、ネット２２を自動開放する場合には、重り２６の作用力（位置エネルギ）が、操作框２３を開方向に駆動するのに消費されるのは勿論であるが、操作框２３と共に重り２６自身を移動させるためにも消費され、そのため、第１実施例の場合に比して、操作框２３の加速に供される力が軽減され、操作框２３が開放端において縦枠部材１１ａに強く衝突するようなことが回避される。
【００２３】
なお、第２実施例の上記以外の構成及び作用効果は、第１実施例の場合と変わるところがないので、それらの説明は省略する。
また、以上において、本発明に係る横引き式網戸の実施の形態について詳述したが、本発明はその特許請求の範囲に記載されている発明の精神を逸脱しない範囲で、設計において種々の変更ができるものである。
【００２４】
【発明の効果】
以上に詳述した本発明の横引き式網戸によれば、上述したばね部材の設置により、ワイヤに吊下する重りを必要以上に大きくすることなしに、ネットが張設状態にあるときだけワイヤに作用する張力を高め、それによって、張設したネットにある程度強い風などの外力が作用したときのネットの膨らみを抑制でき、結果的に、ネット上下端の横枠部材からの脱出を可及的に抑制することができる。
【図面の簡単な説明】
【図１】本発明の第１実施例の構成を模式的に示す正面図である。
【図２】本発明の第２実施例の構成を模式的に示す正面図である。
【図３】公知の横引き式網戸の構成を模式的に示す正面図である。
【図４】上記公知の横引き式網戸に強い外力が作用した場合の状況を示す模式的正面図である。
【符号の説明】
１１，２１    枠体
１２，２２    ネット
１３，２３    操作框
１４ａ〜１４ｄ，２４ａ〜２４ｄ    ワイヤ
１５，２５    ガイド部材
１６，２６    重り
１８，２８    当接部
１９，２９    ばね部材
【図１】
0003609755.tif 000002
【図２】
0003609755.tif 000003
【図３】
0003609755.tif 000004
【図４】
0003609755.tif 000005